(57)【要約】【課題】檻の扉を迅速に閉塞することができる固定解除具、獲物を迅速に檻の中に閉じ込めることができる捕獲装置および捕獲システムを提供する。【解決手段】捕獲装置１の檻本体２の天井部２Ａと底部２Ｂとの間に、互いに対向する第１の開口部３と第２の開口部４が形成されている。捕獲装置１は、上から下へ移動して第１の開口部３を閉塞する第１の扉部５と、上から下へ移動して第２の開口部４を閉塞する第２の扉部６と、天井部２Ａの略中央部に配置された、固定部１１および解除部１２を備える。固定部１１は、第１の開口部３および第２の開口部４を開放する位置に第１の扉部５および第２の扉部６を固定する。解除部１２は、所定の信号を受信した場合に固定を解除する。【選択図】図１
2014217350.tif 000002
【特許請求の範囲】
【請求項１】
天井部と該天井部に対向する底部とを有する本体の同天井部と同底部との間の開口部を、移動して閉塞する扉部が有する上方に突出した凸部に一端が引っ掛けられた線状部材と、該線状部材の他端が取付けられた、かつ、同線状部材の他端を引っ張って、前記開口部を開放する位置に前記扉部を固定する引張体とを有する固定部と、
引張状態の前記引張体に連結されて引張状態を維持する維持部材と、所定の信号を受信した場合に、前記維持部材と前記引張体の連結を解除する制御体とを有する解除部とを備える
固定解除具。
【請求項２】
線状部材と、該線状部材の一端が取付けられた、かつ、同線状部材の一端を引っ張る引張体と、一方の端部が前記線状部材の他端に取付けられて前記引張体に引っ張られた状態において他方の端部が、天井部と該天井部に対向する底部とを有する本体の同天井部と同底部との間の開口部を移動して閉塞する扉部を、同開口部を開放する位置に支持して固定する棒状支持部材とを有する固定部と、
引張状態の前記引張体に連結されて引張状態を維持する維持部材と、所定の信号を受信した場合に、前記維持部材と前記引張体の連結を解除する制御体とを有する解除部とを備える
固定解除具。
【請求項３】
天井部と該天井部に対向する底部とを有する本体の同天井部と同底部との間の開口部を、移動して閉塞し、かつ、上方に突出した凸部を有する扉部と、
該扉部の前記凸部に一端が引っ掛けられた線状部材と、該線状部材の他端が取付けられた、かつ、同線状部材の他端を引っ張って、前記開口部を開放する位置に前記扉部を固定する引張体とを有する固定部と、
引張状態の前記引張体に連結されて引張状態を維持する維持部材と、所定の信号を受信した場合に、前記維持部材と前記引張体の連結を解除する制御体とを有する解除部とを備える
捕獲装置。
【請求項４】
天井部と該天井部に対向する底部とを有する本体の同天井部と同底部との間の開口部を、移動して閉塞する扉部と、
線状部材と、該線状部材の一端が取付けられた、かつ、同線状部材の一端を引っ張る引張体と、一方の端部が前記線状部材の他端に取付けられて前記引張体に引っ張られた状態において他方の端部が、前記開口部を開放する位置に前記扉部を支持して固定する棒状支持部材とを有する固定部と、
引張状態の前記引張体に連結されて引張状態を維持する維持部材と、所定の信号を受信した場合に、前記維持部材と前記引張体の連結を解除する制御体とを有する解除部とを備える
捕獲装置。
【請求項５】
前記固定部および前記解除部は、前記天井部に配置された
請求項３または請求項４に記載の捕獲装置。
【請求項６】
前記固定部および前記解除部は、前記天井部の略中央部に配置された
請求項５に記載の捕獲装置。
【請求項７】
前記扉部は、ベアリングを介して移動する
請求項３〜６のいずれか１つに記載の捕獲装置。
【請求項８】
前記底部と反対方向に前記天井部から所定の距離離れた位置に設置された撮像部と、
該撮像部が移動物を撮像した場合に、同撮像部が撮像して得られた情報である撮像情報を通信回線を介して送信する撮像情報送信部とを備える
請求項３〜７のいずれか１つに記載の捕獲装置。
【請求項９】
前記扉部は、前記天井部と前記底部との間の少なくとも３つの方位の開口部をそれぞれ移動して閉塞する
請求項３〜８のいずれか１つに記載の捕獲装置。
【請求項１０】
天井部と該天井部に対向する底部とを有する本体の同天井部と同底部との間の開口部を、移動して閉塞し、かつ、上方に突出した凸部を含む扉部と、該扉部の前記凸部に一端が引っ掛けられた線状部材と、該線状部材の他端が取付けられた、かつ、同線状部材の他端を引っ張って、前記開口部を開放する位置に前記扉部を固定する引張体とを含む固定部と、引張状態の前記引張体に連結されて引張状態を維持する維持部材と、所定の信号を受信した場合に、前記維持部材と前記引張体の連結を解除する制御体とを含む解除部と、前記底部と反対方向に前記天井部から所定の距離離れた位置に設置された撮像部と、該撮像部が移動物を撮像した場合に、同撮像部が撮像して得られた情報である撮像情報を通信回線を介して送信する撮像情報送信部とを有する捕獲装置と、
該捕獲装置から通信回線を介して撮像情報を受信する撮像情報受信部と、該撮像情報受信部が受信した撮像情報に基づいて、所定の信号を前記捕獲装置に通信回線を介して送信する信号送信部とを有する携帯端末とを備える
捕獲システム。
【請求項１１】
天井部と該天井部に対向する底部とを有する本体の同天井部と同底部との間の開口部を、移動して閉塞する扉部と、線状部材と、該線状部材の一端が取付けられた、かつ、同線状部材の一端を引っ張る引張体と、一方の端部が前記線状部材の他端に取付けられて前記引張体に引っ張られた状態において他方の端部が、前記開口部を開放する位置に前記扉部を支持して固定する棒状支持部材とを含む固定部と、引張状態の前記引張体に連結されて引張状態を維持する維持部材と、所定の信号を受信した場合に、前記維持部材と前記引張体の連結を解除する制御体とを含む解除部と、前記底部と反対方向に前記天井部から所定の距離離れた位置に設置された撮像部と、該撮像部が移動物を撮像した場合に、同撮像部が撮像して得られた情報である撮像情報を通信回線を介して送信する撮像情報送信部とを有する捕獲装置と、
該捕獲装置から通信回線を介して撮像情報を受信する撮像情報受信部と、該撮像情報受信部が受信した撮像情報に基づいて、所定の信号を前記捕獲装置に通信回線を介して送信する信号送信部とを有する携帯端末とを備える
捕獲システム。
【発明の詳細な説明】
【技術分野】
【０００１】
本発明は固定解除具、捕獲装置および捕獲システムに関する。詳しくは、例えば、野生動物を捕獲する装置に使用される固定解除具、野生動物を捕獲する捕獲装置および捕獲システムに係るものである。
【背景技術】
【０００２】
人里に出没するイノシシなどの野生動物が田畑や果樹園を荒らすことが問題となっている。
そこで、ライフルや散弾銃などを利用して、イノシシなどの野生動物の銃猟捕獲が行なわれている。
【０００３】
しかし、人家近くでの発砲は原則としてできないので、銃猟捕獲では捕獲範囲が限定されていた。
【０００４】
こうした中、イノシシなどの野生動物を捕獲する様々な捕獲装置が提案されている。例えば特許文献１には、図８に示すような捕獲装置が記載されている。
すなわち、特許文献１に記載の捕獲装置１０１は、前面部１１０と、背面部１２０と、第１の側面部１３０と、第２の側面部１４０と、上面部１５０と、下面部１６０とを備える。
また、前面部１１０の前面開口部１１１は、鉛直方向にスライド移動が可能な前面落とし戸１１２によって開閉される。また、背面部１２０の背面開口部１２１も同様に、背面落とし戸１２２によって開閉される。
【０００５】
また、上面部１５０には、それぞれの上辺が上面部１５０の中央部に向けて傾斜した第１〜第４の忍び返し（１５１〜１５４）が設けられている。また、第１〜第４の忍び返し（１５１〜１５４）の上辺が上面開口部１５５を形成している。
【先行技術文献】
【特許文献】
【０００６】
【特許文献１】特開２００５−９５０９９号公報
【発明の概要】
【発明が解決しようとする課題】
【０００７】
ところで、せっかく檻の中にイノシシが入っても、イノシシを檻の中に閉じ込めるための扉が迅速に落下しなければ、イノシシは檻から出てしまい、捕獲が失敗してしまう可能性が高い。
【０００８】
本発明は、以上の点に鑑みて創案されたものであり、檻の扉を迅速に閉塞することができる固定解除具、獲物を迅速に檻の中に閉じ込めることができる捕獲装置および捕獲システムを提供することを目的とする。
【課題を解決するための手段】
【０００９】
上記の目的を達成するために、本発明の固定解除具は、天井部と該天井部に対向する底部とを有する本体の同天井部と同底部との間の開口部を、移動して閉塞する扉部が有する上方に突出した凸部に一端が引っ掛けられた線状部材と、該線状部材の他端が取付けられた、かつ、同線状部材の他端を引っ張って、前記開口部を開放する位置に前記扉部を固定する引張体とを有する固定部と、引張状態の前記引張体に連結されて引張状態を維持する維持部材と、所定の信号を受信した場合に、前記維持部材と前記引張体の連結を解除する制御体とを有する解除部とを備える。
【００１０】
また、上記の目的を達成するために、本発明の捕獲装置は、天井部と該天井部に対向する底部とを有する本体の同天井部と同底部との間の開口部を、移動して閉塞し、かつ、上方に突出した凸部を有する扉部と、該扉部の前記凸部に一端が引っ掛けられた線状部材と、該線状部材の他端が取付けられた、かつ、同線状部材の他端を引っ張って、前記開口部を開放する位置に前記扉部を固定する引張体とを有する固定部と、引張状態の前記引張体に連結されて引張状態を維持する維持部材と、所定の信号を受信した場合に、前記維持部材と前記引張体の連結を解除する制御体とを有する解除部とを備える。
【００１１】
ここで、扉部の上方に突出した凸部に一端が引っ掛けられた線状部材と、線状部材の他端が取付けられた、かつ、線状部材の他端を引っ張って、開口部を開放する位置に扉部を固定する引張体によって、引張体の引張状態を解除するだけで扉部が移動できるという状態にすることができる。
【００１２】
また、引張状態の引張体に連結されて引張状態を維持する維持部材と、所定の信号を受信した場合に、維持部材と引張体の連結を解除する制御体によって、扉部を移動させたい者は、所定の信号を送信するだけで扉部を移動させることができる。
【００１３】
さらに、上記の目的を達成するために、本発明の固定解除具は、線状部材と、該線状部材の一端が取付けられた、かつ、同線状部材の一端を引っ張る引張体と、一方の端部が前記線状部材の他端に取付けられて前記引張体に引っ張られた状態において他方の端部が、天井部と該天井部に対向する底部とを有する本体の同天井部と同底部との間の開口部を移動して閉塞する扉部を、同開口部を開放する位置に支持して固定する棒状支持部材とを有する固定部と、引張状態の前記引張体に連結されて引張状態を維持する維持部材と、所定の信号を受信した場合に、前記維持部材と前記引張体の連結を解除する制御体とを有する解除部とを備える。
【００１４】
また、上記の目的を達成するために、本発明の捕獲装置は、天井部と該天井部に対向する底部とを有する本体の同天井部と同底部との間の開口部を、移動して閉塞する扉部と、
線状部材と、該線状部材の一端が取付けられた、かつ、同線状部材の一端を引っ張る引張体と、一方の端部が前記線状部材の他端に取付けられて前記引張体に引っ張られた状態において他方の端部が、前記開口部を開放する位置に前記扉部を支持して固定する棒状支持部材とを有する固定部と、引張状態の前記引張体に連結されて引張状態を維持する維持部材と、所定の信号を受信した場合に、前記維持部材と前記引張体の連結を解除する制御体とを有する解除部とを備える。
【００１５】
ここで、線状部材の一端が取付けられた、かつ、線状部材の一端を引っ張る引張体と、一方の端部が線状部材の他端に取付けられて引張体に引っ張られた状態において他方の端部が、天井部と天井部に対向する底部とを有する本体の天井部と底部との間の開口部を移動して閉塞する扉部を、開口部を開放する位置に支持して固定する棒状支持部材によって、一方の端部が線状部材の他端に取付けられて引張体に引っ張られた状態を解除するだけで扉部が移動できる状態にすることができる。
【００１６】
また、引張状態の引張体に連結されて引張状態を維持する維持部材と、所定の信号を受信した場合に、維持部材と引張体の連結を解除する制御体によって、扉部を移動させたい者は、所定の信号を送信するだけで扉部を移動させることができる。
【００１７】
また、本発明の捕獲装置において、固定部および解除部が天井部に配置された場合、捕獲対象の野生動物から固定部や解除部を発見され難い。
【００１８】
また、本発明の捕獲装置において、固定部および解除部が天井部の略中央部に配置された場合、対向する扉部それぞれと、固定部および解除部との間の距離が略等しいので、対向する扉部を互いにほぼ同時に移動させて開口部を閉塞することができる。
【００１９】
また、本発明の捕獲装置において、扉部がベアリングを介して移動する場合、扉部は円滑に移動して開口部を閉塞できる。
【００２０】
また、本発明の捕獲装置は、底部と反対方向に天井部から所定の距離離れた位置に設置された撮像部と、撮像部が移動物を撮像した場合に、撮像部が撮像して得られた情報である撮像情報を通信回線を介して送信する撮像情報送信部とを備えるものとすることができる。
【００２１】
この場合、撮像部は、底部と反対方向に天井部から所定の距離離れた位置に設置されているので、捕獲対象の野生動物から撮像部を発見され難く、さらに、捕獲装置に近づくときから野生動物を撮像できる。
また、撮像情報を通信回線を介して送信するので、捕獲装置から離れた地において野生動物が捕獲装置の内部に入ったかどうかを確認することができる。
【００２２】
また、本発明の捕獲装置において、扉部は、天井部と底部との間の少なくとも３つの方位の開口部をそれぞれ移動して閉塞するものとすることができる。
【００２３】
この場合、天井部と底部との間の１つもしくは２つの開口部を扉部が閉塞するときよりも、天井部と底部との間の壁が少ない、すなわち開口部が多いので、野生動物が警戒し難い。
【００２４】
また、上記の目的を達成するために、本発明の捕獲システムは、天井部と該天井部に対向する底部とを有する本体の同天井部と同底部との間の開口部を、移動して閉塞し、かつ、上方に突出した凸部を含む扉部と、該扉部の前記凸部に一端が引っ掛けられた線状部材と、該線状部材の他端が取付けられた、かつ、同線状部材の他端を引っ張って、前記開口部を開放する位置に前記扉部を固定する引張体とを含む固定部と、引張状態の前記引張体に連結されて引張状態を維持する維持部材と、所定の信号を受信した場合に、前記維持部材と前記引張体の連結を解除する制御体とを含む解除部と、前記底部と反対方向に前記天井部から所定の距離離れた位置に設置された撮像部と、該撮像部が移動物を撮像した場合に、同撮像部が撮像して得られた情報である撮像情報を通信回線を介して送信する撮像情報送信部とを有する捕獲装置と、該捕獲装置から通信回線を介して撮像情報を受信する撮像情報受信部と、該撮像情報受信部が受信した撮像情報に基づいて、所定の信号を前記捕獲装置に通信回線を介して送信する信号送信部とを有する携帯端末とを備える。
【００２５】
ここで、扉部の上方に突出した凸部に一端が引っ掛けられた線状部材と、線状部材の他端が取付けられた、かつ、線状部材の他端を引っ張って、開口部を開放する位置に扉部を固定する引張体によって、引張体の引張状態を解除するだけで扉部が移動できるという状態にすることができる。
【００２６】
また、引張状態の引張体に連結されて引張状態を維持する維持部材と、所定の信号を受信した場合に、維持部材と引張体の連結を解除する制御体によって、扉部を移動させたい者は、所定の信号を送信するだけで扉部を移動させることができる。
【００２７】
また、捕獲装置から通信回線を介して撮像情報を受信する撮像情報受信部を有する携帯端末によって、携帯端末の所持者は、捕獲装置から離れた地において野生動物が捕獲装置の内部に入ったかどうかを確認することができる。
【００２８】
また、受信した撮像情報に基づいて、所定の信号を捕獲装置に通信回線を介して送信する信号送信部とを有する携帯端末によって、携帯端末の所持者は、受信した撮像情報を見ながら所望のタイミングで所定の信号を捕獲装置に送信して扉部を移動させ開口部を閉塞できる。
【００２９】
また、上記の目的を達成するために、本発明の捕獲システムは、天井部と該天井部に対向する底部とを有する本体の同天井部と同底部との間の開口部を、移動して閉塞する扉部と、線状部材と、該線状部材の一端が取付けられた、かつ、同線状部材の一端を引っ張る引張体と、一方の端部が前記線状部材の他端に取付けられて前記引張体に引っ張られた状態において他方の端部が、前記開口部を開放する位置に前記扉部を支持して固定する棒状支持部材とを含む固定部と、引張状態の前記引張体に連結されて引張状態を維持する維持部材と、所定の信号を受信した場合に、前記維持部材と前記引張体の連結を解除する制御体とを含む解除部と、前記底部と反対方向に前記天井部から所定の距離離れた位置に設置された撮像部と、該撮像部が移動物を撮像した場合に、同撮像部が撮像して得られた情報である撮像情報を通信回線を介して送信する撮像情報送信部とを有する捕獲装置と、該捕獲装置から通信回線を介して撮像情報を受信する撮像情報受信部と、該撮像情報受信部が受信した撮像情報に基づいて、所定の信号を前記捕獲装置に通信回線を介して送信する信号送信部とを有する携帯端末とを備える。
【００３０】
ここで、線状部材の一端が取付けられた、かつ、線状部材の一端を引っ張る引張体と、一方の端部が線状部材の他端に取付けられて引張体に引っ張られた状態において他方の端部が、天井部と天井部に対向する底部とを有する本体の天井部と底部との間の開口部を移動して閉塞する扉部を、開口部を開放する位置に支持して固定する棒状支持部材によって、一方の端部が線状部材の他端に取付けられて引張体に引っ張られた状態を解除するだけで扉部が移動できる状態にすることができる。
【００３１】
また、引張状態の引張体に連結されて引張状態を維持する維持部材と、所定の信号を受信した場合に、維持部材と引張体の連結を解除する制御体によって、扉部を移動させたい者は、所定の信号を送信するだけで扉部を移動させることができる。
【００３２】
また、捕獲装置から通信回線を介して撮像情報を受信する撮像情報受信部を有する携帯端末によって、ユーザは、捕獲装置から離れた地において野生動物が捕獲装置の内部に入ったかどうかを確認することができる。
【００３３】
また、受信した撮像情報に基づいて、所定の信号を捕獲装置に通信回線を介して送信する信号送信部とを有する携帯端末によって、ユーザは、受信した撮像情報を見ながら所望のタイミングで所定の信号を捕獲装置に送信して扉部を移動させ開口部を閉塞できる。
【発明の効果】
【００３４】
本発明に係る固定解除具は、檻の扉を迅速に閉塞することができる。
本発明に係る捕獲装置は、獲物を迅速に檻の中に閉じ込めることができる。
本発明に係る捕獲システムは、獲物を迅速に檻の中に閉じ込めることができる。
【図面の簡単な説明】
【００３５】
【図１】本発明を適用した捕獲装置の一例を示す概略図である。
【図２】本発明を適用した第１の実施態様の固定解除具が引張力を発生させている状態の一例を示す、概略平面図（ａ）および概略側面図（ｂ）である。
【図３】第１の扉部が有する凸部に第１のワイヤーの一端が引っ掛けられた状態の一例を示す概略図である。
【図４】本発明を適用した第１の実施態様の固定解除具が引張力を解放する動きの一例を示す概略図（ａ）、および引張力が解放されたときの第１のワイヤーの一端の状態の一例を示す概略図（ｂ）である。
【図５】本発明を適用した第２の実施態様の固定解除具が第１の扉部を支持固定している状態の一例を示す概略図（ａ）および、支持固定を解除した状態の一例を示す概略図（ｂ）である。
【図６】本発明を適用した捕獲システムにおいて携帯端末が撮像映像を受信したときの様子の一例を示す概略図である。
【図７】本発明を適用した捕獲システムにおいてイノシシを檻本体に閉じ込めたときの様子の一例を示す概略図である。
【図８】従来の捕獲装置を示す概略図である。
【発明を実施するための形態】
【００３６】
以下、本発明の実施の形態について図面を参照しながら説明し、本発明の理解に供する。
図１は、本発明を適用した捕獲装置の一例を示す概略図である。また、図２は、本発明を適用した第１の実施態様の固定解除具が引張力を発生させている状態の一例を示す、概略平面図（ａ）および概略側面図（ｂ）である。また、図３は、第１の扉部が有する凸部に第１のワイヤーの一端が引っ掛けられた状態の一例を示す概略図である。また、図４は、本発明を適用した第１の実施態様の固定解除具が引張力を解放する動きの一例を示す概略図（ａ）、および引張力が解放されたときの第１のワイヤーの一端の状態の一例を示す概略図（ｂ）である。
【００３７】
図１に示す本発明の捕獲装置１は、檻本体２を備える。
ここで、檻本体２は、天井部２Ａと、天井部２Ａに対向する底部２Ｂと、天井部２Ａと底部２Ｂとの間に配置された第１の側面部２Ｃと、第１の側面部２Ｃに対向して配置された第２の側面部２Ｄとを有する。
【００３８】
また、第１の側面部２Ｃと第２の側面部２Ｄの対向方向に対して直交する方向において、天井部２Ａと底部２Ｂとの間に、互いに対向する第１の開口部３と第２の開口部４が形成されている。
【００３９】
また、天井部２Ａと、底部２Ｂと、第１の側面部２Ｃと、第２の側面部２Ｄはそれぞれ、格子状に配置された鉄製の棒を有する。
また、天井部２Ａの略中央部には、平板１３が取付けられている。
【００４０】
また、檻本体２としては、ステンレス製、ＦＲＰ（Ｆｉｂｅｒ  Ｒｅｉｎｆｏｒｃｅｄ  Ｐｌａｓｔｉｃｓ＝繊維強化プラスチック）製、木製、または竹製のものも使用できる。
【００４１】
また、本発明の捕獲装置１は、上から下へ移動して第１の開口部３を閉塞する第１の扉部５と、上から下へ移動して第２の開口部４を閉塞する第２の扉部６とを備える。
【００４２】
また、第１の扉部５は、下から上へ移動して第１の開口部３を開放し、第２の扉部６は、下から上へ移動して第２の開口部４を開放する。
【００４３】
また、第１の扉部５の第２の扉部６に面する側には窪み８が形成されている。
また、第１の扉部５は、窪み８内に取付けられた上方に突出した凸部７を有する。
また、図示していないが、第２の扉部６の第１の扉部５に面する側にも同様に窪みが形成されている。そして、第２の扉部６も、この窪み内に取付けられた上方に突出した凸部（図示せず。）を有する。
【００４４】
また、本発明の捕獲装置１は、第１の扉部５を上下に移動させるための一対の第１のガイド枠９と、第２の扉部６を上下に移動させるための一対の第２のガイド枠１０とを備える。
【００４５】
また、第１のガイド枠９には、複数の第１のベアリング２２が取付けられている。
また、第２のガイド枠１０には、複数の第２のベアリング２３が取付けられている。
【００４６】
第１の扉部５および第２の扉部６は、このような第１のベアリング２２および第２のベアリング２３を介して、第１のガイド枠９および第２のガイド枠１０に沿って円滑に移動する。
【００４７】
また、本発明の捕獲装置１は、平板１３に配置された固定部１１と解除部１２を備える。すなわち、固定部１１および解除部１２は、天井部２Ａの略中央部に配置されている。
【００４８】
また、本発明の捕獲装置１は、底部２Ｂと反対方向すなわち天井部２Ａの上方に天井部２Ａから所定の距離離れた位置に設置された、３６０度撮像可能な全方位カメラ（撮像部の一例である。）１４Ａを備える。
【００４９】
ここで、「所定の距離」とは、例えば、第１の開口部３や第２の開口部４を開放する位置に第１の扉部５や第２の扉部６が位置しているときに、第１の扉部５や第２の扉部６よりも高い位置となる距離である。
【００５０】
また、本発明の捕獲装置１は、全方位カメラ１４Ａがイノシシ（移動物の一例である。）を撮像した場合に、全方位カメラ１４Ａが撮像して得られた情報である撮像情報を、インターネットなどの通信回線を介して送信する撮像情報送信部１４Ｂを備える。
【００５１】
また、全方位カメラ１４Ａおよび撮像情報送信部１４Ｂは、透明な撮像機器収容箱１４に収容されている。
また、撮像機器収容箱１４は脚部１５に支持されている。
【００５２】
また、檻本体２の内部すなわち、底部２Ｂの略中央部にはエサ１６が置かれている。
【００５３】
また、図２（ａ）および図２（ｂ）に示すように、本発明の第１の実施態様の固定解除具１Ａは、固定部１１と解除部１２とを備える。
【００５４】
ここで、固定部１１は、輪状の一端１１ＡＡが凸部７の凹部７Ａに引っ掛けられた第１のワイヤー（線状部材の一例である。）１１Ａを有する。
【００５５】
また、固定部１１は、同じく輪状の一端（図示せず。）が第２の扉部６の凸部（図示せず。）の凹部（図示せず。）に引っ掛けられた第２のワイヤー１１Ｂを有する。
【００５６】
また、固定部１１は、第１のワイヤー１１Ａの他端１１ＡＢが取付けられた、かつ、第１のワイヤー１１Ａの他端１１ＡＢを引っ張って、第１の開口部３を開放する位置に第１の扉部５を固定する引張体１１Ｃを有する。
【００５７】
また、第１の扉部５を固定しているとき、図３に示すように、凸部７の凹部７Ａに引っ掛けられた第１のワイヤー１１Ａの一端１１ＡＡは、引張方向１７に引っ張られている。
【００５８】
また、図３に示すように、凸部７の引張方向１７とは反対側、すなわち固定部１１に面する側の反対側は傾斜しており、凸部７の傾斜した側に凹部７Ａが形成されている。
【００５９】
また、引張体１１Ｃには、同じく第２のワイヤー１１Ｂの他端１１ＢＢが取付けられており、引張体１１Ｃは、第２のワイヤー１１Ｂの他端１１ＢＢを引っ張って、第２の開口部４を開放する位置に第２の扉部６を固定する。
【００６０】
また、引張体１１Ｃは、円筒状の引張体本体１１ＣＡと、平板１３に対して略平行な方向に引張体本体１１ＣＡを貫いた円柱状の突出棒１１ＣＢとを含む。
また、引張体本体１１ＣＡは、回転可能に平板１３に配置されている。
【００６１】
また、図２（ａ）に示すように、固定解除具１Ａが引張力を発生させている状態において、突出棒１１ＣＢは、第１のワイヤー１１Ａと第２のワイヤー１１Ｂに対して略平行である。
【００６２】
また、図２（ａ）に示すように、第１のワイヤー１１Ａの他端１１ＡＢは、突出棒１１ＣＢの第２の扉部６に向いた側に取付けられている。
また、図２（ａ）に示すように、第２のワイヤー１１Ｂの他端１１ＢＢは、突出棒１１ＣＢの第１の扉部５に向いた側に取付けられている。
【００６３】
また、図２（ｂ）に示すように、第１のワイヤー１１Ａの他端１１ＡＢは輪状になっており、輪状の他端１１ＡＢを突出棒１１ＣＢに引っ掛けることで、他端１１ＡＢを突出棒１１ＣＢに取付けている。第２のワイヤー１１Ｂの他端１１ＢＢも同様である。
【００６４】
また、解除部１２は、引張状態の引張体１１Ｃに連結されて引張状態を維持する棒部材（維持部材の一例である。）１２Ａを有する。
すなわち、棒部材１２Ａの一端１２ＡＡが、引張体本体１１ＣＡに形成された穴（図示せず。）に挿入されることで、引張体１１Ｃと棒部材１２Ａとが連結される。
【００６５】
また、解除部１２は、所定の信号を受信した場合に、棒部材１２Ａと引張体１１Ｃの連結を解除する制御体１２Ｂを有する。
すなわち、図２に示すように、制御体１２Ｂと棒部材１２Ａの他端１２ＡＢとは、制御ワイヤー１２Ｃで連結されている。そして、所定の信号を受信した場合に、制御体１２Ｂが制御ワイヤー１２Ｃを引っ張ることで、棒部材１２Ａと引張体１１Ｃの連結を解除する。
【００６６】
また、解除部１２は、棒部材１２Ａを支持する棒部材支持台１２Ｄを有する。
【００６７】
また、所定の信号を受信した場合に、制御体１２Ｂが制御ワイヤー１２Ｃを引っ張ると、図４（ａ）に示すように、引張体本体１１ＣＡから棒部材１２Ａが引抜方向１８に引き抜かれる。すると、棒部材１２Ａと引張体１１Ｃの連結が解除される。
【００６８】
また、棒部材１２Ａと引張体１１Ｃの連結が解除されると、図４（ａ）に示すように、引張体本体１１ＣＡが回転方向１９に回転する。
そして、第１のワイヤー１１Ａおよび第２のワイヤー１１Ｂはそれぞれ、解放方向２０へ移動する。
【００６９】
また、引張力が解放されたので、図４（ｂ）に示すように第１のワイヤー１１Ａの一端１１ＡＡは、第１の扉部５の凸部７に形成された凹部７Ａから外れる。
【００７０】
また、第１の扉部５を引っ張って固定していた第１のワイヤー１１Ａが外れたので、第１の扉部５は自重により落下方向２１へ落下し、第１の開口部３を閉塞する。
【００７１】
また、第２のワイヤー１１Ｂも略同時に解放方向２０へ移動しており、しかも、固定部１１は天井部２Ａの略中央部に配置されているので、第２の扉部６も略同時に落下し、第２の開口部４を閉塞する。
【００７２】
図５は、本発明を適用した第２の実施態様の固定解除具が第１の扉部を支持固定している状態の一例を示す概略図（ａ）および、支持固定を解除した状態の一例を示す概略図（ｂ）である。
【００７３】
ここで、第２の実施態様の固定解除具は、第１の実施態様の固定解除具と同様の解除部を備えているので、解除部の図示を省略する。
また、第２の実施態様の固定解除具は、第１の実施態様の固定解除具と同様の引張体を備えているので、引張体の図示を省略する。
【００７４】
図５（ａ）に示すように、第２の実施態様の固定解除具の固定部３０は、第１のワイヤー３４を有する。
また、図示していないが、第１のワイヤー３４の一端は、第１の実施態様と同様に引張体に取付けられている。
【００７５】
また、固定部３０は、棒状支持部材３５を有する。
また、棒状支持部材３５は、檻本体の天井部３２上に設置された回転支持体３８に回転可能に取付けられている。すなわち、棒状支持部材３５は、軸ピン３７で回転支持体３８に取付けられており、軸ピン３７を軸にして回転する。
【００７６】
また、棒状支持部材３５の一方の端部３５Ａには凹部３６が形成されている。
また、凹部３６に、第１のワイヤー３４の輪状の他端３４Ｂが、滑車３３を通って引っ掛けられている。
【００７７】
そして、棒状支持部材３５の一方の端部３５Ａは、引張体（図示せず。）に引張方向３９へ引っ張られている。
このとき、棒状支持部材３５は天井部３２に対して略平行となる。
【００７８】
また、図５（ａ）に示すように、一方の端部３５Ａが引っ張られた状態において、棒状支持部材３５の他方の端部３５Ｂは、第１の開口部（図示せず。）を移動して閉塞する第１の扉部３１を、第１の開口部（図示せず。）を開放する位置に支持して固定する。
【００７９】
次に、第１の実施態様と同様に、棒部材（図示せず。）と引張体（図示せず。）の連結が解除されると、図５（ｂ）に示すように、第１のワイヤー３４は解放方向４０へ移動する。
【００８０】
また、棒状支持部材３５は軸ピン３７を軸にして回転し、図５（ｂ）に示すように天井部３２に対して略垂直になる。
また、棒状支持部材３５の他方の端部３５Ｂによる支持を失った第１の扉部３１は、自重により落下方向４１へ落下し、第１の開口部（図示せず。）を閉塞する。
【００８１】
ここで、必ずしも固定部および解除部は、天井部の略中央部に配置されていなくてもよい。
【００８２】
しかし、固定部および解除部が天井部に配置されていれば、捕獲対象の野生動物から固定部や解除部を発見され難いので好ましい上に、固定部および解除部が天井部の略中央部に配置されていれば、対向する扉部それぞれと、固定部および解除部との間の距離が略等しいので、対向する扉部を互いにほぼ同時に移動させて開口部を閉塞することができ、好ましい。
【００８３】
また、引張状態の引張体に連結されて引張状態を維持できるのであれば必ずしも棒部材でなくてもよい。
【００８４】
また、必ずしもベアリングを使用しなくてもよいが、ベアリングを介して扉部を移動させることで、扉部は円滑に移動して開口部を閉塞できるので好ましい。
【００８５】
また、天井部と底部との間の２つの方位に開口部が形成されている例、すなわち第１の開口部と第２の開口部が形成されている例について説明したが、本発明は必ずしもこの例に限定されるものではない。
【００８６】
例えば、第１の側面部や第２の側面部にも開口部が形成され、天井部と底部との間の４つの方位に開口部が形成されたものとすることができる。
このとき、本発明の捕獲装置は、当然ながら４つの方位の開口部をそれぞれ閉塞および開放する扉部も備える。
【００８７】
この場合、天井部と底部との間の１つもしくは２つの方位に開口部が形成されたときよりも、天井部と底部との間の壁が少ない、すなわち開口部が多いので、野生動物が警戒し難い。よって、野生動物が檻本体の中に入りやすくなり好ましい。
【００８８】
また、本発明の捕獲装置は、必ずしも撮像部や、撮像情報送信部を備えていなくてもよい。
しかし、本発明の捕獲装置が、撮像部や撮像情報送信部を備えていれば、本発明の捕獲装置に近づくときから野生動物を撮像でき、また、本発明の捕獲装置から離れた地において野生動物が本発明の捕獲装置の内部すなわち檻本体に入ったかどうかを確認することができるので好ましい。
【００８９】
図６は、本発明を適用した捕獲システムにおいて携帯端末が撮像映像を受信したときの様子の一例を示す概略図である。また、図７は、本発明を適用した捕獲システムにおいてイノシシを檻本体に閉じ込めたときの様子の一例を示す概略図である。
図６に示す本発明の捕獲システム５１は、図１に示す本発明の捕獲装置１と、ユーザが所持する携帯端末５２とを備える。
【００９０】
ここで、携帯端末５２は、本発明の捕獲装置１からインターネットなどの通信回線を介して撮像情報を受信する撮像情報受信部５６を有する。
また、携帯端末５２は、撮像情報受信部５６が受信した撮像情報に基づいて、所定の信号を本発明の捕獲装置１に通信回線を介して送信する信号送信部５７を有する。
【００９１】
次に、本発明の捕獲システム５１を用いてイノシシを捕獲するときの流れを説明する。
本発明の捕獲装置１の檻本体２の内部すなわち、底部２Ｂの略中央部にエサ１６を置く。
次に、第１の扉部５および第２の扉部６をそれぞれ、第１の開口部３および第２の開口部４を開放する位置に固定する。
【００９２】
そして、全方位カメラ１４Ａを作動させて、本発明の捕獲装置１の周辺の撮像を開始する。
【００９３】
次に、エサ１６を目当てに本発明の捕獲装置１に近寄ってきたイノシシ５３を、全方位カメラ１４Ａが撮像すると、撮像情報送信部１４Ｂが撮像情報をインターネットなどの通信回線を介して、携帯端末５２へ送信する。
【００９４】
ここで、「撮像情報」とは、具体的には例えば、全方位カメラ１４Ａが撮像して得られた撮像映像が掲載されたウェブページを特定する記号の並びであるＵＲＬ（Ｕｎｉｆｏｒｍ  Ｒｅｓｏｕｒｃｅ  Ｌｏｃａｔｏｒ＝統一資源位置指定子）であり、このＵＲＬが記載された電子メールを携帯端末５２へ送信する。
【００９５】
なお、携帯端末５２が複数あれば、撮像映像が掲載されたウェブページを特定するＵＲＬが記載された電子メールが一斉に複数の携帯端末へ送信される。
また、本発明の捕獲装置１が複数の場所に設置されている場合、各捕獲装置を識別するための識別番号が各捕獲装置に付与されている。
【００９６】
また、撮像情報送信部１４Ｂは、ＧＰＳ受信機（図示せず。）を有する。ここで、ＧＰＳ受信機（図示せず。）は、ＧＰＳ（Ｇｌｏｂａｌ  Ｐｏｓｉｔｉｏｎｉｎｇ  Ｓｙｓｔｅｍ＝全地球測位システム）を構成する複数のＧＰＳ衛星（図示せず。）から提供される信号を受信して、本発明の捕獲装置１の位置情報を検出する。
【００９７】
従って、撮像映像が掲載されたウェブページを特定するＵＲＬに加えて、検出された位置情報に対応する地図が掲載されたウェブページを特定するＵＲＬも記載された電子メールが送信される。
【００９８】
そして、電子メールを受信した携帯端末５２のユーザはＵＲＬにアクセスして、撮像映像５４を携帯端末５２の画面に表示させる。
【００９９】
また、ユーザは、本発明の捕獲装置１から送られてくる撮像映像５４を見ながら、第１の扉部５および第２の扉部６を落下させるタイミングを計る。
そして、イノシシ５３が檻本体２内に入ってエサ１６を食べている姿を撮像映像５４で確認すると、ユーザは、携帯端末５２の画面に表示されたＯＫボタン５５を押す。
【０１００】
すると、携帯端末５２の信号送信部５７が、本発明の捕獲装置１に所定の信号を送信する。
一方、本発明の捕獲装置１が所定の信号を受信すると、すなわち、解除部１２の制御体１２Ｂが所定の信号を受信すると、図４（ａ）に示すように棒部材１２Ａと引張体１１Ｃの連結が解除される。
【０１０１】
棒部材１２Ａと引張体１１Ｃの連結が解除されると、第１の扉部５を引っ張って固定していた第１のワイヤー１１Ａが第１の扉部５から外れる。そして、第１の扉部５は自重により落下方向２１へ落下し、第１の開口部を閉塞する。
【０１０２】
また、同様に、第２の扉部６を引っ張って固定していた第２のワイヤー１１Ｂも第２の扉部６から外れる。そして、第２の扉部６は自重により落下方向２１へ落下し、第２の開口部を閉塞する。
【０１０３】
こうして、イノシシ５３を檻本体２の内部に閉じ込めることができる。
【０１０４】
以上のように、本発明の固定解除具および本発明の捕獲装置は、扉部の上方に突出した凸部に一端が引っ掛けられた線状部材と、線状部材の他端が取付けられた、かつ、線状部材の他端を引っ張って、開口部を開放する位置に扉部を固定する引張体によって、引張体の引張状態を解除するだけで扉部が移動できるという状態にすることができる。
【０１０５】
また、本発明の固定解除具および本発明の捕獲装置は、引張状態の引張体に連結されて引張状態を維持する維持部材と、所定の信号を受信した場合に、維持部材と引張体の連結を解除する制御体によって、扉部を移動させたい者が所定の信号を送信するだけで扉部を移動させることができる。
【０１０６】
従って、本発明の固定解除具は、檻の扉を迅速に閉塞することができる。
また、このような本発明の固定解除具を備える本発明の捕獲装置は、獲物を迅速に檻の中に閉じ込めることができる。
さらに、このような本発明の捕獲装置を備える本発明の捕獲システムも、獲物を迅速に檻の中に閉じ込めることができる。
【０１０７】
また、本発明の捕獲システムにおいて、ユーザは携帯端末の画面で撮像映像を見ながら、携帯端末の画面に表示されたボタンを押すだけで、本発明の捕獲装置の扉部を落下させて開口部を閉塞し、檻本体の中にイノシシを閉じ込めることができるので、ゲーム感覚で楽しみながら捕獲を行なうことができる。
【符号の説明】
【０１０８】
１      捕獲装置
１Ａ    固定解除具
２      檻本体
２Ａ    天井部
２Ｂ    底部
２Ｃ    第１の側面部
２Ｄ    第２の側面部
３      第１の開口部
４      第２の開口部
５      第１の扉部
６      第２の扉部
７      凸部
７Ａ    凹部
８      窪み
９      第１のガイド枠
１０      第２のガイド枠
１１      固定部
１１Ａ    第１のワイヤー
１１ＡＡ  第１のワイヤーの一端
１１ＡＢ  第１のワイヤーの他端
１１Ｂ    第２のワイヤー
１１ＢＢ  第２のワイヤーの他端
１１Ｃ    引張体
１１ＣＡ  引張体本体
１１ＣＢ  突出棒
１２      解除具
１２Ａ    棒部材
１２ＡＡ  棒部材の一端
１２ＡＢ  棒部材の他端
１２Ｂ    制御体
１２Ｃ    制御ワイヤー
１２Ｄ    棒部材支持台
１３      平板
１４      撮像機器収容箱
１４Ａ    全方位カメラ
１４Ｂ    撮像情報送信部
１５      脚部
１６      エサ
１７      引張方向
１８      引抜方向
１９      回転方向
２０      解放方向
２１      落下方向
２２      第１のベアリング
２３      第２のベアリング
３０      固定部
３１      第１の扉部
３２      天井部
３３      滑車
３４      第１のワイヤー
３４Ｂ    第１のワイヤーの他端
３５      棒状支持部材
３５Ａ    棒状支持部材の一方の端部
３５Ｂ    棒状支持部材の他方の端部
３６      凹部
３７      軸ピン
３８      回転支持体
３９      引張方向
４０      解放方向
４１      落下方向
５１      捕獲システム
５２      携帯端末
５３      イノシシ
５４      撮像映像
５５      ＯＫボタン
５６      撮像情報受信部
５７      信号送信部
【図１】
2014217350.tif 000003
【図２】
2014217350.tif 000004
【図３】
2014217350.tif 000005
【図４】
2014217350.tif 000006
【図５】
2014217350.tif 000007
【図６】
2014217350.tif 000008
【図７】
2014217350.tif 000009
【図８】
2014217350.tif 000010